【手続補正書】
【提出日】平成16年3月16日(2004.3.16)
【手続補正１】
【補正対象書類名】明細書
【補正対象項目名】特許請求の範囲
【補正方法】変更
【補正の内容】
【特許請求の範囲】
【請求項１】
電極を有する半導体素子に貫通穴を形成する第１工程と、
前記貫通穴の内側を含む領域に導電層を形成する第２工程と、
を含む半導体装置の製造方法であって、
前記電極に、前記貫通穴と連通する穴を形成し、
前記導電層を、前記電極の少なくとも一部に積層し、
前記貫通穴を、開口端部と、前記開口端部よりも径の大きい中間部と、を有する形状で形成する半導体装置の製造方法。
【請求項２】
請求項１記載の半導体装置の製造方法において、
前記第１工程で、前記貫通穴を形成する位置に窪みを形成し、前記窪みによって位置決めして前記小孔を形成する半導体装置の製造方法。
【請求項３】
請求項２記載の半導体装置の製造方法において、
前記小孔をレーザービームで形成し、ウェットエッチングによって前記小孔を拡大させる半導体装置の製造方法。
【請求項４】
請求項１から請求項３のいずれかに記載の半導体装置の製造方法において、
電気的な接続部を形成する工程を含む半導体装置の製造方法。
【請求項５】
請求項４記載の半導体装置の製造方法において、
前記接続部を、第２工程で前記導電層の一部として形成する半導体装置の製造方法。
【請求項６】
請求項１から請求項５のいずれかに記載の半導体装置の製造方法において、
前記第１工程後であって、前記第２工程前に、前記貫通穴の内壁面に絶縁膜を形成する工程をさらに含み、
前記第２工程で、前記絶縁膜上に前記導電層を形成する半導体装置の製造方法。
【請求項７】
請求項６記載の半導体装置の製造方法において、
前記絶縁膜を、化学気相堆積によって形成する半導体装置の製造方法。
【請求項８】
請求項１から請求項７のいずれかに記載の半導体装置の製造方法において、
前記導電層を、無電解メッキによって形成する半導体装置の製造方法。
【請求項９】
請求項８記載の半導体装置の製造方法において、
少なくとも前記導電層の形成領域で触媒を露出させて設け、前記触媒の露出領域に導電材料を析出させる無電解メッキを行い、前記導電材料で前記導電層を形成する半導体装置の製造方法。
【請求項１０】
請求項１から請求項９のいずれかに記載の方法により製造された半導体装置。
【請求項１１】
電極を有し、貫通穴が形成された半導体素子と、
前記貫通穴の内側を含む領域に形成された導電層と、
を含む半導体装置であって、
前記電極には、前記貫通穴と連通する穴が形成され、
前記導電層は、前記電極の少なくとも一部に積層させて形成され、
前記貫通穴は、開口端部と、前記開口端部よりも径の大きい中間部と、を有する形状で形成されてなる半導体装置。
【請求項１２】
請求項１１に記載の半導体装置において、
前記導電層の一部によって前記接続部が設けられてなる半導体装置。
【請求項１３】
請求項１１または請求項１２のいずれかに記載の半導体装置において、
前記貫通穴の内壁面に形成された絶縁膜をさらに有し、前記絶縁膜上に前記導電層が形成されてなる半導体装置。
【請求項１４】
請求項１１から請求項１３のいずれかに記載の半導体装置において、
前記半導体素子は、半導体チップである半導体装置。
【請求項１５】
請求項１１から請求項１３のいずれかに記載の半導体装置において、
前記半導体素子は、半導体ウエーハの一部である半導体装置。
【請求項１６】
請求項１１から請求項１５のいずれかに記載の半導体装置が積層され、上下の半導体装置の前記導電層が電気的に接続されてなる半導体装置。
【請求項１７】
請求項１１から請求項１６のいずれかに記載の半導体装置が実装された回路基板。
【請求項１８】
請求項１１から請求項１６のいずれかに記載の半導体装置を有する電子機器。
【手続補正２】
【補正対象書類名】明細書
【補正対象項目名】０００４
【補正方法】変更
【補正の内容】
【０００４】
【課題を解決するための手段】
（１）本発明に係る半導体装置の製造方法は、電極を有する半導体素子に貫通穴を形成する第１工程と、
前記貫通穴の内側を含む領域に導電層を形成する第２工程と、
を含む半導体装置の製造方法であって、
前記電極に、前記貫通穴と連通する穴を形成し、
前記導電層を、前記電極の少なくとも一部に積層し、
前記貫通穴を、開口端部と、前記開口端部よりも径の大きい中間部と、を有する形状で形成する。


【手続補正３】
【補正対象書類名】明細書
【補正対象項目名】０００５
【補正方法】変更
【補正の内容】
【０００５】
本発明によれば、貫通穴に導電層を形成することで、半導体素子の一方の面と他方の面との電気的接続を図るようになっている。したがって、導電層を形成するだけであって、貫通穴に溶融材料を充填するのではないため、ボイドが形成されてしまうという問題が生じることがなく、電気的接続の高い信頼性を確保できる。また、導電層を、電極と電気的に接続して形成することができ、貫通穴の中間部が大径となっているので、導電層を形成しやすい。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
（２）この半導体装置の製造方法において、
前記第１工程で、前記貫通穴を形成する位置に窪みを形成し、前記窪みによって位置決めして前記小孔を形成してもよい。


【手続補正１３】
【補正対象書類名】明細書
【補正対象項目名】００１６
【補正方法】変更
【補正の内容】
【００１６】
（３）この半導体装置の製造方法において、
前記小孔をレーザービームで形成し、ウェットエッチングによって前記小孔を拡大させてもよい。


【手続補正１４】
【補正対象書類名】明細書
【補正対象項目名】００１８
【補正方法】変更
【補正の内容】
【００１８】
（４）この半導体装置の製造方法において、
電気的な接続部を形成する工程を含んでもよい。


【手続補正１５】
【補正対象書類名】明細書
【補正対象項目名】００１９
【補正方法】変更
【補正の内容】
【００１９】
（５）この半導体装置の製造方法において、
前記接続部を、第２工程で前記導電層の一部として形成してもよい。


【手続補正１６】
【補正対象書類名】明細書
【補正対象項目名】００２０
【補正方法】変更
【補正の内容】
【００２０】
（６）この半導体装置の製造方法において、
前記第１工程後であって、前記第２工程前に、前記貫通穴の内壁面に絶縁膜を形成する工程をさらに含み、
前記第２工程で、前記絶縁膜上に前記導電層を形成してもよい。


【手続補正１７】
【補正対象書類名】明細書
【補正対象項目名】００２１
【補正方法】変更
【補正の内容】
【００２１】
（７）この半導体装置の製造方法において、
前記絶縁膜を、化学気相堆積によって形成してもよい。


【手続補正１８】
【補正対象書類名】明細書
【補正対象項目名】００２２
【補正方法】変更
【補正の内容】
【００２２】
（８）この半導体装置の製造方法において、
前記導電層を、無電解メッキによって形成してもよい。


【手続補正１９】
【補正対象書類名】明細書
【補正対象項目名】００２４
【補正方法】変更
【補正の内容】
【００２４】
（９）この半導体装置の製造方法において、
少なくとも前記導電層の形成領域で触媒を露出させて設け、前記触媒の露出領域に導電材料を析出させる無電解メッキを行い、前記導電材料で前記導電層を形成してもよい。


【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】変更
【補正の内容】
【００３０】
（１０）本発明に係る半導体装置は、上記方法により製造されたものである。


【手続補正２６】
【補正対象書類名】明細書
【補正対象項目名】００３１
【補正方法】変更
【補正の内容】
【００３１】
（１１）本発明に係る半導体装置は、電極を有し、貫通穴が形成された半導体素子と、
前記貫通穴の内側を含む領域に形成された導電層と、
を含む半導体装置であって、
前記電極には、前記貫通穴と連通する穴が形成され、
前記導電層は、前記電極の少なくとも一部に積層させて形成され、
前記貫通穴は、開口端部と、前記開口端部よりも径の大きい中間部と、を有する形状で形成されてなる。


【手続補正２７】
【補正対象書類名】明細書
【補正対象項目名】００３２
【補正方法】変更
【補正の内容】
【００３２】
本発明によれば、貫通穴に形成された導電層によって、半導体素子の一方の面と他方の面との電気的接続が図られる。したがって、導電層が形成されるだけであって、貫通穴に溶融材料を充填するのではないため、ボイドが形成されてしまうという問題が生じることがなく、電気的接続の高い信頼性を確保できる。また、導電層は、電極と電気的に接続して形成されており、貫通穴の中間部が大径となっているので、導電層を形成しやすい。
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】変更
【補正の内容】
【００３９】
（１２）この半導体装置において、
前記導電層の一部によって前記接続部が設けられていてもよい。


【手続補正３５】
【補正対象書類名】明細書
【補正対象項目名】００４０
【補正方法】変更
【補正の内容】
【００４０】
（１３）この半導体装置において、
前記貫通穴の内壁面に形成された絶縁膜をさらに有し、前記絶縁膜上に前記導電層が形成されていてもよい。


【手続補正３６】
【補正対象書類名】明細書
【補正対象項目名】００４１
【補正方法】変更
【補正の内容】
【００４１】
（１４）この半導体装置において、
前記半導体素子は、半導体チップであってもよい。


【手続補正３７】
【補正対象書類名】明細書
【補正対象項目名】００４２
【補正方法】変更
【補正の内容】
【００４２】
（１５）この半導体装置において、
前記半導体素子は、半導体ウエーハの一部であってもよい。


【手続補正３８】
【補正対象書類名】明細書
【補正対象項目名】００４３
【補正方法】変更
【補正の内容】
【００４３】
（１６）本発明に係る半導体装置は、上記半導体装置が積層され、上下の半導体装置の前記導電層が電気的に接続されたものでもよい。


【手続補正３９】
【補正対象書類名】明細書
【補正対象項目名】００４５
【補正方法】変更
【補正の内容】
【００４５】
（１７）本発明に係る回路基板は、半導体装置が実装されてなる。


【手続補正４０】
【補正対象書類名】明細書
【補正対象項目名】００４６
【補正方法】変更
【補正の内容】
【００４６】
（１８）本発明に係る電子機器は、上記半導体装置を有する。